(57)【要約】      （修正有）【課題】動物の成長に応じて、ブラシを異なる高さで信頼性のある簡単な方法で位置決めすることを可能にする動物のためのブラッシング装置を提供する。【解決手段】ブラッシング装置は、支持構造２に取り付けられる固定ユニット３、装着位置で固定ユニットに接続される支持アーム４、及び支持アームによって支持される回転可能なブラシ６を含む。固定ユニットは、異なる高さで配置された複数の第一接続部分３ｄ，３ｅを含み、支持アームは、第一接続部分の選択された一つと係合する位置に移動される少なくとも一つの第二接続部分を含む。支持アームは、異なる高さで複数の異なる装着位置で固定ユニットに解放可能に接続される。【選択図】図１
0003199837.tif 000002
【実用新案登録請求の範囲】
【請求項１】
動物のためのブラッシング装置であって、ブラッシング装置が、支持構造（２）に取り付けられる固定ユニット（３）、装着位置で固定ユニット（３）に接続される支持アーム（４）、及び支持アーム（４）によって支持される回転可能なブラシ（６）を含むものにおいて、支持アーム（４）が、異なる高さで複数の異なる装着位置で固定ユニット（３）に解放可能に接続されることができることを特徴とするブラッシング装置。
【請求項２】
固定ユニット（３）が、異なる高さで配置された複数の第一接続部分を含み、支持アーム（４）が、ブラシ（６）が選択された第一接続部分（３ｄ，３ｅ）の高さに依存した高さで支持アーム（４）によって支持されるように第一接続部分の選択された一つとの係合へと移動される少なくとも一つの第二接続部分（４ｆ，４ｇ）を含むことを特徴とする請求項１に記載のブラッシング装置。
【請求項３】
固定ユニット（３）が、垂直列の接続穴（３ｄ，３ｅ）の形の少なくとも一つの第一接続部分を含むことを特徴とする請求項２に記載のブラッシング装置。
【請求項４】
支持アーム（４）が、接続穴（３ｄ，３ｅ）の一つとの係合へと移動される突出接続部材（４ｆ，４ｇ）の形の少なくとも一つの第二接続部分を含むことを特徴とする請求項３に記載のブラッシング装置。
【請求項５】
突出接続部材（４ｆ）がフック形状であることを特徴とする請求項４に記載のブラッシング装置。
【請求項６】
支持アーム（４）が少なくとも一対の突出接続部材（４ｆ，４ｇ）を含み、一方（４ｆ）が、支持アーム（４）が装着状態にあるときに他方（４ｇ）の上に離れて配置されることを特徴とする請求項４又は５に記載のブラッシング装置。
【請求項７】
支持アーム（４）が少なくとも一対の突出接続部材（４ｆ，４ｇ）を含み、一方（４ｆ，４ｇ）が、支持アーム（４）が装着状態にあるときに他方（４ｆ，４ｇ）から水平に離れて配置されることを特徴とする請求項４〜６のいずれかに記載のブラッシング装置。
【請求項８】
支持アーム（４）及び固定ユニット（３）を装着位置でロックするように構成されたロッキング機構（１０，１１）を含むことを特徴とする請求項１〜７のいずれかに記載のブラッシング装置。
【請求項９】
固定ユニットが細長いブラケット（３）であることを特徴とする請求項１〜８のいずれかに記載のブラッシング装置。
【請求項１０】
ブラッシング装置が、回転可能なブラシ（６）を回転するように構成された電気モーター（１９）を含むことを特徴とする請求項１〜９のいずれかに記載のブラッシング装置。
【請求項１１】
電気モーター（１９）への電気エネルギーが、固定ユニット（３）における細長い溝（３ｆ）を通って延びるケーブル（２３）を介して供給されることを特徴とする請求項１０に記載のブラッシング装置。
【請求項１２】
電気エネルギーが電気モーターに全く供給されない「オフ」位置、及び外力が回転可能なブラシ（６）に作用するときに電気エネルギーが電気モーターに供給される「オン」位置で設定可能な電気スイッチ（７）を含むことを特徴とする請求項１０又は１１に記載のブラッシング装置。
【請求項１３】
ブラッシング装置が、外力が回転可能なブラシ（６）に作用するときに感知するセンサー（２０）、及び外力が回転可能なブラシ（６）に作用するときにセンサー（２０）から情報を受けとり、電気モーター（１９）を活性化するように構成された制御ユニット（１４）を含むことを特徴とする請求項１０〜１２のいずれかに記載のブラッシング装置。
【請求項１４】
制御ユニット（１４）が支持アーム（６）の内側に配置されていることを特徴とする請求項１３に記載のブラッシング装置。
【請求項１５】
支持アーム（４）が、支持アーム（４）の側部分を形成する第一アーム部分（４ａ）、支持アーム（４）の対向側部分を形成する第二アーム部分（４ｂ）、支持アーム（４）の上部分を形成する第三上部分（４ｃ）、及び支持アーム（４）の下部分を形成する第四下部分（４ｄ）を含み、アーム部分（４ａ−ｄ）が内部空間を持って支持アーム（４）を形成することを特徴とする請求項１〜１４のいずれかに記載のブラッシング装置。
【考案の詳細な説明】
【技術分野】
【０００１】
本考案は、動物のためのブラッシング装置であって、ブラッシング装置が、支持構造に取り付けられる固定ユニット、装着位置で固定ユニットに接続される支持アーム、及び支持アームによって支持される回転可能なブラシを含むものに関する。
【背景技術】
【０００２】
動物のための既知のブラッシング装置は、支持構造に装着され、電気モーターによって駆動される回転ブラシを与えられる。ブラシは、ブラシが回転されるときに動物の下毛及び皮膚と相互作用する剛毛を与えられる。従って、動物は、回転ブラシによってブラッシングされ、引っ掻かれ、かつ／又は手入れをされる。
【０００３】
ＷＯ２０１３／１７６５９６は、支持部、ブラシ、及び回転軸のまわりにブラシを回転するように配置された電気モーターを含む動物ブラッシング装置を示す。動物ブラッシング装置は、ブラシと相互作用するように配置された回転センサーを含む。ブラシはまた、外部から付与される力によって回転可能であり、回転センサーは、外部から付与される力によって生じる回転運動を感知するように適応される。
【０００４】
しかしながら、子牛は成長し、群れの中の子牛の平均きこう高さは継続的に増加する。ヤギ及び子牛は、通常、寝床の材料としてわらで育てられ、新しいわらの追加は、床レベルを上昇する。ブラシが動物のきこう高さに対して正しくない高さで位置される場合に、動物は、ブラシを効果的な態様で使用することができない。
【考案の概要】
【考案が解決しようとする課題】
【０００５】
本考案の目的は、ブラシのための支持アーム、及びブラシを異なる高さで信頼性のある簡単な方法で位置決めすることを可能にする設計を有する固定ユニットを含むブラッシング装置を提供することである。
【課題を解決するための手段】
【０００６】
この目的は、支持アームが、異なる高さで複数の異なる装着位置で固定ユニットに解放可能に接続されることができることを特徴とする冒頭で規定されたブラッシング装置によって達成される。固定ユニットは、異なる高さで配置された複数の第一接続部分を含み、支持アームは、ブラシが選択された第一接続部分の高さに依存した高さで支持アームによって支持されるように第一接続部分の選択された一つとの係合へと移動される少なくとも一つの第二接続部分を含むことが好ましい。最初に、オペレーターは、動物のための空間において好適な高さで壁、又は柱のような支持構造上に固定ユニットを取り付ける。その後、オペレーターは、固定ユニットの第一接続部分のどの一つが支持アームの第二接続部分によって係合されるかを選択する。オペレーターは、適切な第一接続部分を選択するための式を使用することができる。式は、空間に収容される動物のきこう高さの関数として適切な第一接続部分を規定することができる。若い動物が空間に収容される場合には、動物が成長するときに支持アームの第二接続部分を固定ユニットの徐々に高く位置される第一接続部分に接続することによってブラシを徐々に高い高さで配置することが容易である。小さい動物のグループが空間に収容される場合には、支持アームの第二接続部分を固定ユニットの低く位置される第一接続部分に接続することによってブラシを低い高さで配置することが容易である。
【０００７】
本考案の一実施形態によれば、固定ユニットは、垂直列の接続穴の形の少なくとも一つの第一接続部分を含む。この場合には、支持アーム及びブラシの位置は、垂直軸に沿って調整されるだろう。
【０００８】
本考案の一実施形態によれば、支持アームは、接続穴の一つとの係合へと移動される突出接続部材の形の少なくとも一つの第二接続部分を含む。突出部材は、それが固定ユニットの接続穴の下縁部分を把持することができるようにフック形状であることができる。この場合において、支持アームの突出接続部材は、固定ユニットの接続穴から意図せずに係合からはずれるように変位されないだろう。
【０００９】
支持アームは少なくとも一対の突出接続部材を含むことができ、一方は、支持アームが装着状態にあるときに他方の上に離れて配置されることができる。これは、支持アームと固定ユニットの間のより安定した接続を確保する。
【００１０】
代替的に又は追加的に、支持アームは少なくとも一対の突出接続部材を含むことができ、一方は、支持アームが装着状態にあるときに他方から水平に離れて配置されることができる。これは、支持アームと固定ユニットの間の接続の安定性を確保する。
【００１１】
本考案の一実施形態によれば、ブラッシング装置は、支持アームを固定ユニットに対して装着位置でロックするように構成されたロッキング機構を含む。動物は、ブラシ及び支持アームに対して比較的大きい力を与えるかもしれない。かかるロッキング機構は、支持アームが比較的大きい外力を受けるときであっても支持アームと固定ユニットの間の接続の係合解除を防止する。
【００１２】
本考案の一実施形態によれば、固定ユニットは細長いブラケットであることができる。かかるブラケットは、比較的簡単な設計を持つことができる。それは、前部分及び後部分を含み、それらが互いに解放可能に接続されることができる。ブラケットは、比較的簡単な方法で壁又は柱の形の支持構造に取り付けられることができる。オペレーターは、ブラシを使用する動物のきこう高さに関連するパラメーターを含む式によって好適な高さでブラケットを取り付けることができる。
【００１３】
本考案の一実施形態によれば、ブラッシング装置は、回転可能なブラシを回転するように構成された電気モーターを含む。好ましくは、電気モーターへの電気エネルギーは、固定ユニットにおける細長い溝を通って延びるケーブルを介して供給される。このようにして、ブラシの高さは、ケーブルを接続解除せずに調整されることができる。ブラッシング装置は、電気エネルギーが電気モーターに全く供給されないオフ位置、及び外力が回転可能なブラシに作用するときに電気エネルギーが電気モーターに供給されるオン位置で設定可能な電気スイッチを含むことができる。かかる電気スイッチによってブラッシング装置を活性化及び不活性化することが容易である。電気スイッチは、固定ユニットに配置されることができる。
【００１４】
本考案の一実施形態によれば、ブラッシング装置は、外力が回転可能なブラシに作用するときに感知するセンサー、及び外力が回転可能なブラシに作用するときにセンサーから情報を受けとり、電気モーターを活性化するように構成された制御ユニットを含む。かかるブラシは、外力を受けたときにのみ回転する。従って、電気エネルギーは、ブラシが使用されない期間では節約される。
【００１５】
好ましくは、制御ユニットは支持アームの内側に配置されている。この位置では、制御ユニットは、支持アームの部分によって保護される。さらに、電気ケーブルは、支持アームの内部空間を通って延びることができる。それによって、電気ケーブルは、動物による損傷から保護される。
【００１６】
本考案の一実施形態によれば、支持アームは、支持アームの側部分を形成する第一アーム部分、支持アームの対向側部分を形成する第二アーム部分、支持アームの上部分を形成する上部分、及び支持アームの下部分を形成する下部分を含む。これらのアーム部分は互いに解放可能に接続されることができる。これらのアーム部分は、それらが装着状態で内部空間を形成するように造形された板であることができる。
【図面の簡単な説明】
【００１７】
本考案は、添付図面を参照して例として開示される好ましい実施形態によってより詳細に説明される。
【００１８】
【図１】図１は、本考案の一実施形態によるブラッシング装置を示す。
【図２】図２は、ブラッシング装置の分解図を示す。
【図３】図３は、ブラッシング装置の支持アームをより詳細に示す。
【考案を実施するための形態】
【００１９】
図１は、ヤギ又は子牛のような動物１によって使用されるブラッシング装置を示す。ブラッシング装置は、壁、柱、梁などの支持構造２に取り付けられるブラケット３の形の固定ユニットを含む。ブラッシング装置は、ブラケット３に接続される支持アーム４を含む。支持アーム４は、装着状態で水平方向の範囲を有する第一直線部分、第二湾曲部分、及び装着状態で垂直方向の範囲を有する短い第三直線部分を含む。支持アーム４は、ブラケット３に接続される第一端を含む。支持アーム４は、ヒンジ装置５によって円筒形形状ブラシ６の上部端６ａに接続される第二端を含む。ヒンジ装置５は、支持アーム４に対して旋回軸５ａ，５ｂのまわりのブラシ６の旋回運動を可能にする二つの直交旋回軸５ａ，５ｂを含む。ブラシ６は、外力がブラシ６に全く作用しないときに下方に垂直に垂れ下がる。この位置では、ブラシの下部端６ｂは、円筒形形状ブラシ６の上部端６ａの下に垂直に位置される。電気スイッチ７はブラケット３に配置される。電気スイッチ７は、オフ位置及びオン位置に設定可能な回転つまみ又はボタンを含む。
【００２０】
図２は、ブラッシング装置の分解図を示す。ブラケット３は、ブラケット３の前部分及び二つの側部分の部分を形成する前部分３ａを含む。ブラケット３は、ブラケット３の後部分及び二つの側部分の相補部分を形成する後部分３ｂを含む。前部分３ａ及び後部分３ｂは、部分３ａ，３ｂの側部分に配置されたねじによって互いに解放可能に接続される。ブラケット３の前部分は、電気スイッチ７のための開口３ｃを含む。電気スイッチ７は、ブラケット３の内部空間に支持部材８によって取り付けられる。電気スイッチ７は、電気ケーブルの装着のためのケーブルグランド９を含む。前部分３ａは、互いに離れて配置される第一列の接続穴３ｄ及び第二列の接続穴３ｅをさらに含む。列３ｄ，３ｅは、装着状態で垂直方向の範囲を持つ。接続穴３ｄ，３ｅは細長くされている。前部分３ａはまた、二つの平行列の接続穴３ｄ，３ｅの間に位置される中央位置の細長溝３ｆを含む。
【００２１】
支持アーム４は、支持アーム４の対向側部分を形成する第一アーム部分４ａ及び第二アーム部分４ｂを含む。各アーム部分４ａ，ｂは、第一端に、上部フック形状突出接続部材４ｆ及び下部突出接続部材４ｇを含む。第一アーム部分４ａの突出接続部材４ｆ，４ｇは、ブラケット３の第一列３ｄにおける二つの隣接接続穴との係合へと移動される。第二アーム部分４ｂの突出接続部材４ｆ，４ｇは、ブラケット３の第二列３ｅにおける二つの隣接接続穴中に挿入される。支持アーム４は、支持アーム４の上部分を形成する上部分４ｃ、及び支持アームの下部分を形成する下部分４ｄを含む。支持アーム４はまた、支持アーム４の第一端に配置される端板４ｅを含む。第一アーム部分４ａ、第二アーム部分４ｂ、上部アーム部分４ｃ、下部アーム部分４ｄ、及び端板４ｅは、例えばねじのような好適な固定手段によって互いに解放可能に接続される。
【００２２】
ブラッシング装置は、ブラケット３上の装着位置で支持アーム４をロックするように構成されたロッキング機構を含む。ロッキング機構は、ブラケット３の内部空間に配置されたロックナット１０、及び支持アーム４の内部空間に配置されたボルトとワッシャーロックナット１１を含む。支持アーム４の下部分４ｄは、ロッキング機構のボルトとワッシャーナット１１へのアクセスを与える開口を含む。カバー板１３は、それが前記開口を露出する開放位置と、それが前記開口を閉鎖する閉鎖位置の間でスライド可能に配置される。制御ユニット１４は、支持アーム４の内部空間に配置されている。二つの直交旋回軸５ａ，５ｂを含むヒンジ装置５は、支持アーム４の第二端に配置される。さらに、支持アーム４の第二端は、ケーブル保護物１６を包囲する。
【００２３】
ブラシ６の上部端６ａは上部板１８を含み、上部板１８は、ブラシの上部剛毛をかみつく動物に対して保護するように寸法決定される。上部板１８は、Ｕ外形物１７によってヒンジ装置５に接続される。ブラシ６は、ブラシ６の上部端６ａと下部端６ｂの間に延びる貫通穴を含む。電気管モーター１９は貫通穴に装着される。センサー２０は、ブラシ６が外力を受けるときに感知するように構成される。センサー２０は、外力によって生じるヒンジ機構５におけるブラシ３の旋回運動及び／又はブラシ６の回転運動を感知することができる。電気モーター１９及びセンサー２０は、管モーター保護物２１に装着される。かみ合い結合２２が、電気モーター１９と管モーター保護物２１の間に配置され、管モーター保護物２１に回転を伝達し、管モーター保護物２１は、上部板１８を通してブラシ６に回転を伝達する。
【００２４】
図３は、装着状態の支持アーム４の図を示す。第一ケーブル２３は、細長溝３ｆを通って手動スイッチ７から制御ユニット１４までの範囲を持つ。第一ケーブルは、電気エネルギーを電気スイッチ７から制御ユニット１４に供給する。第二ケーブル２４は、電気エネルギーを制御ユニット１４から電気モーター１９に供給する。第二ケーブル２４はまた、信号をセンサー２０からブラシ６に作用する外力の存在に関連した制御ユニット１４に送る。
【００２５】
ブラシ装置は、ヤギ又は子牛のための空間に装着されることができることが好ましい。装着方法は、最初に、空間における好適な支持構造上にブラケット３を取り付ける工程を含む。ブラケット３の後部分３ｂは、ボルトによって静止壁の形の静止支持構造上に、又はＵクランプによって静止柱上に装着されることができる。ブラケット３の最下部分は、式Ｙ＝Ｘ＋Ｃ（式中、Ｘはヤギ／子牛の平均きこう高さであり、Ｃは動物１の首の長さに基づいて選択される定数であり、例えば７５４ｍｍの長さを有するブラケット３に対して例えば３５５ｍｍであることができる）に対応する空間における床の上の高さＹに装着されることが好ましい。
【００２６】
その後、ブラケットの前部分３ａは、ブラケットの後部分３ｂに接続される。次の工程は、床の上の好適な高さで支持アーム４をブラケット３に接続することである。ブラシ６の第二端６ｂは、式Ｈ＝Ｘ−Ｃ（式中、Ｘは最も大きいヤギ／子牛のきこう高さであり、Ｃは定数であり、それは例えば２０５ｍｍであることができる）に従って下方に垂直に垂れ下がるときに床の上に高さＨで装着されることが好ましい。ブラケット３の接続穴３ｄ，３ｅは、ブラシ６の第二端６ｂが上記式に従って床の上の高さＨに位置されるように選択される。
【００２７】
支持アーム４をブラケット３に接続するために、支持アーム４は、支持アーム４の第一直線部分が湾曲部分から第一端まで下方に傾斜する位置に移動される。この位置では、上部フック形状接続部材４ｆを列３ｄ，３ｅ中の選択された接続穴中に導入することが可能である。その後、支持アーム４は、第一直線部分が水平方向の範囲を得る位置に向けられる。この方向移動の間、下部接続部材４ｇは、上部接続部材によって係合される接続穴の下に位置される各列３ｄ，３ｅにおける接続穴との係合へと移動される。支持アーム４は、今ブラケット３に対して安定した装着位置にある。その後、ロッキング機構１０，１１は、この位置で支持アーム４をロックするために使用される。ボルトとワッシャーロックナット１１は、端板４ｅの貫通穴及び細長溝３ｆを介してロックナット１０に接続される。最後に、カバー板１３は、それがロッキング機構のボルトとワッシャーロックナットに対する開口をカバーする閉鎖位置に移動される。ブラッシング装置は、今使用される準備状態にある。
【００２８】
電気スイッチ７がオフ位置にあるとき、制御ユニット１４に供給される電気エネルギーが全くない。ブラシ６は、下方に垂直に垂れ下がり、動物１がブラシ６を活性化することは不可能である。電気スイッチ７がオン位置に設定されるとき、電気エネルギーは制御ユニット１４に供給される。今動物１はブラシ６を使用することが可能である。ブラシは、それが外力を受けない限り、非回転状態で下方に垂直に垂れ下がる。ブラッシング装置によってブラッシングされたいと望む動物１がブラシ６を押すとき、センサー２０は、ブラシが外部の回転力を受けることを感知する。制御ユニット１４は、センサー２０からこの情報を受けとり、それは、回転運動をブラシ６に与えるように電気モーター１９に電気エネルギーを供給する。
【００２９】
子牛は成長し、従って子牛の高さは継続的に増加する。もしブラシが子牛のきこう高さに対して不正確な高さで位置されるなら、子牛は、効果的な方法でブラシを使用することができない。従って、ブラシ６の高さＨが定期的に調整されることが重要である。支持アーム４の高さＨが調整されるとき、オペレーターは、支持アーム４におけるロッキング機構に対する開口が露出される開放位置にカバー板１３を移動する。オペレーターは、ロッキング機構のロックナット１０からボルト及びワッシャーロックナット１１を緩める。支持アーム４は、今ブラケット３にもはやロックされていない。オペレーターは、下部接続部材４ｇが接続穴３ｄ，３ｅの係合からはずれて変位されるように支持アーム４の外部端を上方に向ける。その後、オペレーターは、接続穴３ｄ，３ｅから係合をはずすように上部接続部材４ｆを変位する。支持アーム４は、今ブラケット３から係合を解除されている。
【００３０】
オペレーターは、上部接続部材４ｆのために好適な高さに位置される係合すべき新しい接続穴３ｄ，３ｅを選択する。オペレーターは、上部接続部材４ｆを選択された接続穴３ｄ，３ｅとの係合へと移動し、それにより下部接続部材４ｇは、下に位置される接続穴３ｄ，３ｅとの係合へと移動される。その後、オペレーターは、ロッキング機構１０，１１によって支持アーム４を新しい装着位置でロックする。オペレーターは、カバー板１３を閉鎖位置に移動する。ブラシ装置は、今使用される準備状態にある。結果として、子牛が成長するときに支持アーム４の高さを調整し、従ってブラシ６の高さを調整することは極めて簡単である。
【００３１】
本考案は、記載された実施形態に制限されず、請求項の範囲内で自由に変化可能である。
【図１】
0003199837.tif 000003
【図２】
0003199837.tif 000004
【図３】
0003199837.tif 000005